(57)【要約】      （修正有）【課題】ティッシュペーパーを確実にかつ容易に取出すことができるティッシュペーパー収納箱を提供する。 【解決手段】開口部を有する天面板１と４つの側面板とからなり、これらの４つの側面板のうちの対向する２つの側面板には磁性材料または磁石材料４が同一の位置に配置されており、かつティッシュペーパーを収納可能な大きさの箱本体５と、この天面板に対向する位置に配置される底面板１０は第１の底板１１ａと第２の底板１１ｂとが連結部材１２で連結され、かつこの連結部材を介して離間及び接近方向に摺動自在に構成される。さらに第１の底板１１ａと第２の底板１１ｂの連結部材１２で連結された側面部に対向するそれぞれの側面部には磁性材料または磁石材料が配置され、箱本体内部に挿入できる形状からなる。底面板を箱本体内部に挿入して固定するときには磁気吸引力により第１の底板と第２の底板が連結部材を介して摺動し、底面部を箱本体内部に固定する構造からなる。【選択図】図１
0003178322.tif 000002
【実用新案登録請求の範囲】
【請求項１】
開口部を有する天面板と４つの側面板とからなり、前記４つの側面板のうちの対向する２つの側面板には磁性材料または磁石材料が同一の位置に配置されており、ティッシュペーパーを収納可能な大きさからなる箱本体と、
前記天面板に対向する位置に配置される底面板は、第１の底板と第２の底板とが連結部材で連結され、かつ前記連結部材を介して互いに平面状態を維持しながら離間及び接近方向に摺動自在に構成されており、さらに前記第１の底板と前記第２の底板の前記連結部材で連結された側面部に対向するそれぞれの側面部には磁性材料または磁石材料が配置され、前記箱本体内部に挿入できる形状からなり、
前記ティッシュペーパーを前記箱本体内部に収納した後に前記底面板を前記箱本体内部に挿入して固定するときに、前記箱本体の側面板に配置された磁性材料または磁石材料と前記底面板の側面部に配置された磁性材料または磁石材料による磁気吸引力により前記第１の底板と前記第２の底板が前記連結部材を介して摺動し、前記底面部を前記箱本体内部に固定する構造としたことを特徴とするティッシュペーパー収納箱。
【請求項２】
前記箱本体の２つの前記側面板の設定された位置に複数の凹部が設けられ、前記凹部中に磁性材料または磁石材料が埋め込まれており、
前記底面板の前記第１の底板と前記第２の底板の前記連結部材で連結された側面部に対向するそれぞれの側面部で、前記箱本体の凹部に対応する位置に、少なくとも表面部が磁性材料または磁石材料が配置された凸部が設けられ、
前記底面板を前記箱本体内部に挿入したときに、磁気吸引力により前記凸部が前記凹部に挿入されることにより固定される構造としたことを特徴とする請求項１に記載のティッシュペーパー収納箱。
【請求項３】
前記箱本体の前記磁性材料または磁石材料が設けられた２つの前記側面板の設定された位置に複数の凹部が更に設けられ、
前記底面板の前記磁性材料または磁石材料が配置された前記側面部には、前記箱本体の前記凹部に対向する位置に凸部が設けられ、
前記底面板を前記箱本体内部に挿入したときに、磁気吸引力により前記凸部が前記凹部に挿入されることにより固定される構造としたことを特徴とする請求項１に記載のティッシュペーパー収納箱。
【考案の詳細な説明】
【技術分野】
【０００１】
本考案は、ティッシュペーパー収納箱に関し、特に袋入りのティッシュペーパーを収納して容易に取出すことができるティッシュペーパー収納箱に関する。
【背景技術】
【０００２】
一般的には、箱入りティッシュペーパーが多く販売されており、箱に内蔵されたティッシュペーパーが無くなれば箱も捨てられる。しかしながら、業務用や家庭用でも、比較的大量に使用する場合には、袋入りのティッシュペーパーを使用するほうが経済的であり、かつ、箱の原料である紙の節約にもつながり好ましい。このような袋入りのティッシュペーパーを使用する場合には、袋入りのまま使用するとティッシュペーパーが少なくなってくると取出し難くなるし、連続的にティッシュペーパーを取出し難くなることも生じやすい。
このような点を解決するために、従来の技術として以下のようなものがある。すなわち，ポケットティッシュペーパーを収納箱に保存し、積重状態にまとめて水平に収納する箱において、ポケットティッシュの収納補充作業が容易で、使用時にポケットティッシュを開口部に確実に押し上げ、かつ屋内や車中などにおいて小出し使用を容易にできる構造としたものであり、ポケットティッシュ収納箱の底板を、ゴム弾性力を用いて常に引っ張り上げるようにしている（例えば、特許文献１参照）。この従来の技術によれば、底板がゴム弾性力によりポケットティッシュを取り出す開口部方向に常に引っ張られているので、ポケットティッシュが少なくなっても取り出しが容易に行える。
さらに、ティッシュペーパー詰め替え収納箱として、無包装やフィルム包装のティッシュペーパー積層体の詰め替えを容易にするとともに、ティッシュペーパーの残量が少なくなっても整然と連続取出しを可能にし、かつ、組み立て式の簡単な構造で繰り返し使用を可能にする構造も開示されている（例えば、特許文献２参照）。この構成によれば、天板部を開閉できるので詰め替え用ティッシュペーパーを容易に詰め替え可能となり、ティッシュペーパーが少なくなれば天板部を斜め方向に位置を下げることで取り出しやすくしている。
【先行技術文献】
【特許文献】
【０００３】
【特許文献１】実用新案登録番号  第3025857号  公報
【特許文献２】特開２０１１−１６２２５９号公報
【考案の概要】
【考案が解決しようとする課題】
【０００４】
先行技術である特許文献１による考案は、ポケットティッシュ収納箱の底板を、ゴム弾性力により引っ張る構造であるが、ゴムが引っ張り力を加え続けられることによる劣化や使用中に切断したりしてしまうことが多い。また、ポケットティッシュは全体形状が小さいことから一般に容易に入手できる輪ゴムを使うことが可能である。しかし、業務用などに多く用いられている袋入りのティッシュペーパーはポケットティッシュに比べて形状が大きく、かつ全体の重量も大きくなるため、上記先行技術ではティッシュペーパーの使用終了時点まで確実に、安定して取り出すことができないという課題を有していた。
また、特許文献２による発明は、天板部を２つに分割することで、詰め替えを容易にするとともに残量が少なくなれば天板部を斜め方向に位置を下げることで取り出しを容易にする構造である。しかしながら、天板部を斜め方向に位置を下げることができる距離は限定されているので、比較的大量に詰め替え用のティッシュペーパーを入れる場合には最後まで容易に取り出すことが困難になるという課題を有している。
本考案は、上記従来の課題を解決するものであり、袋入りティッシュペーパーを収納しても、ティッシュペーパーがなくなるまで、確実にかつ容易に取出すことができるティッシュペーパー収納箱を提供することを目的とする。
【課題を解決するための手段】
【０００５】
上記課題を解決するために本考案のティッシュペーパー収納箱は、開口部を有する天面板と４つの側面板とからなり、これらの４つの側面板のうちの対向する２つの側面板には磁性材料または磁石材料が同一の位置に配置されており、ティッシュペーパーを収納可能な大きさからなる箱本体と、この天面板に対向する位置に配置される底面板は、第１の底板と第２の底板とが連結部材で連結され、かつこの連結部材を介して互いに平面状態を維持しながら離間及び接近方向に摺動自在に構成されており、さらに第１の底板と第２の底板の連結部材で連結された側面部に対向するそれぞれの側面部には磁性材料または磁石材料が配置され、箱本体内部に挿入できる形状からなる。そして、ティッシュペーパーを箱本体内部に収納した後に底面板を箱本体内部に挿入して固定するときに、箱本体の側面板に配置された磁性材料または磁石材料と底面板の側面部に配置された磁性材料または磁石材料による磁気吸引力により第１の底板と第２の底板が連結部材を介して摺動し、底面板を箱本体内部に固定する構造としたものである。
また、上記において、箱本体の２つの側面板の設定された位置に複数の凹部が設けられ、凹部中に磁性材料または磁石材料が埋め込まれており、底面板の第１の底板と第２の底板の連結部材で連結された側面部に対向するそれぞれの側面部で、箱本体の凹部に対応する位置に、少なくとも表面部が磁性材料または磁石材料が配置された凸部が設けられ、底面板を箱本体内部に挿入したときに、磁気吸引力により凸部が凹部に挿入されることにより固定される構造としてもよい。
さらに、上記において、箱本体の磁性材料または磁石材料が設けられた２つの側面板の設定された位置に複数の凹部が更に設けられ、底面板の磁性材料または磁石材料が配置された側面部には、箱本体の凹部に対向する位置に凸部が設けられ、底面板を箱本体内部に挿入したときに磁気吸引力により凸部が凹部に挿入されることにより固定される構造としてもよい。
上記構造において、箱本体の側面板に設ける磁性材料又は磁石材料と、底面板の磁性材料又は磁石材料とは、少なくともどちらか一方が磁石材料であればよいことは説明するまでもない。
【考案の効果】
【０００６】
本考案の構成とすることにより、ティッシュペーパーを箱本体に挿入した後に底面板を磁力により固定することができる。このため、例えば袋入りティッシュペーパーを袋ごとあるいは袋から取り出して箱本体に挿入してから任意の位置に底面板を固定できる。したがって、ティッシュペーパーが少なくなっても、さらに底面板を押し上げれば、ティッシュペーパーの取り出しは常に初期状態と同じように容易に行える。
さらに、箱本体の側面板の所定位置に凹部を設け、それに対向する位置の底面板の側面部に凸部を設ければ、磁力による固定だけでなく凸部が凹部に挿入されることによりさらに確実な固定もできる。
このように、本考案は業務用などで比較的大量に使用される袋入りティッシュペーパーを、袋入りのままあるいは袋から出して用いても、確実な固定ができ、しかもティッシュペーパーの使用により残量が少なくなっても底面板の位置を変更することが容易にでき、最終まで確実に、かつ容易にティッシュペーパーを使用することができる。
【図面の簡単な説明】
【０００７】
【図１】本考案の第１の実施例のティッシュペーパー収納箱の斜視図である。
【図２】同実施例のティッシュペーパー収納箱の形状を示す図で、（ａ）は表側平面図、（b）は長手方向断面図Ａ−Ａ、（c）は短手方向断面図Ｂ−Ｂ、（d）は裏側平面図である。
【図３】同実施例のティシュペーパー収納箱において、底面板を挿入して固定する方法を説明するための断面図Ｃ−Ｃである。
【図４】本考案の第２の実施例のティシュペーパー収納箱において、底面板を挿入して固定する方法を説明するための断面図Ｄ−Ｄである。
【図５】本考案の第３の実施例のティッシュペーパー収納箱において、底面板を固定する方法を説明するための裏側平面図である。
【実施例１】
【０００８】
本考案の第１の実施例を図面に基づき説明する。図１は、本考案の第１の実施例におけるティッシュペーパー収納箱の斜視図である。図２は、そのティッシュペーパー収納箱の構造を説明するための図で、（ａ）は平面図、（b）は長手方向断面図、（c）は短手方向断面図、（d）は裏側平面図である。さらに、図３は、底面板１０を箱本体５の内部に挿入し固定する手順を示す図であり、（ａ）は磁力により固定した状態を示す図で、（b）は底面板１０を挿入して固定する前の状態を示す図である。以下、これらの図面を用いて本考案の第１の実施例のティッシュペーパー収納箱の構造について説明する。
本実施例のティッシュペーパー収納箱は、開口部１ａを有する天面板１と４つの側面板２、３とからなり、４つの側面板２、３のうちの対向する２つの側面板３には磁性材料または磁石材料４が同一の位置に配置されており、これらによりティッシュペーパーを収納可能な大きさからなる箱本体５が構成される。また、天面板１に対向する位置には底面板１０が挿入され固定される。底面板１０は、第１の底板１１ａと第２の底板１１bとが連結部材１２で連結され、かつ連結部材１２を介して互いに平面状態を維持しながら離間及び接近方向に摺動自在に構成されており、さらに第１の底板１１ａと第２の底板１１bの連結部材１２で連結された側面部に対向するそれぞれの側面部には磁石１３が配置されている。この底面板１０は、上記箱本体５内部に挿入できるように箱本体５の内側形状よりも少し小さい形状からなる。
そして、ティッシュペーパーを箱本体５内部に収納した後に、底面板１０の第１の底板１１ａと第２の底板１１ｂとを密接するように指で押さえて箱本体５内部に挿入し、箱本体５の側面板１に配置された磁性材料または磁石材料４の位置に、底面板１０の側面部に配置された磁石１３がきたときに指を離せば、磁石の吸引力により第１の底板１１ａと第２の底板１１ｂが連結部材１２を介して摺動し、底面板１０は箱本体５内部に固定される。
【０００９】
なお、天面板１と４つの側面板２、３とはそれぞれ別個の構造として、これらを接着剤により接着して箱本体５としても良いし、プラスチック樹脂を用いて一体的に成形加工したものでも良いし、また金属製として絞り加工や曲げ加工等で一体的に成形した構造であっても良い。
【００１０】
箱本体５の側面板３に配置された磁性材料または磁石材料４は、本実施例の場合には図２（b）及び（c）に示すように２つの側面板３の内側に、長手方向に２列、縦方向に３段、合計６か所に磁石が側面板１の内面に埋め込まれて固定されている。
底面板１０は、図２（d）に示すように第１の底板１１ａと第２の底板１１bとがそれぞれの底板の側面部に設けた穴部に挿入された連結部材１２により摺動可能とされている。なお、この場合に両方の底板が連結部材１２により摺動可能であっても良いが、例えば第１の底板１１ａと連結部材１２とは接着剤などにより固定し、第２の底板１１bのみが摺動可能な構造としても良い。また、底面板１０の第１の底板１１ａと第２の底板１１bには開口部１４がそれぞれ設けられており、底面板１０を箱本体５の内部に挿入するときに、この開口部に指を挿入することで第１の底板１１ａと第２の底板１１bとを密接することができる。なお、底面板１０を挿入するときに、第１の底板１１ａと第２の底板１１bとを密接させて挿入できれば、本実施例のように開口部形状とする必要はなく、例えばピンのような突起部を設けてもよいし、単に穴部形状であっても良いし、摩擦力が大きければ平坦な形状であってもよい。
【００１１】
次に、底面板１０を箱本体５に挿入する手順について、図３を用いて説明する。図３において、（ａ）は箱本体５に底面板１０を磁力により固定した状態を示す図で、（b）は挿入する状態を示す図である。図３（b）から分かるように、底面板１０を挿入するときには、開口部１４に指を挿入して第１の底板１１ａと第２の底板１１bとが連結部材１２側の側面部間を密接させた状態で挿入する。このようにすることにより、底面板１０と箱本体５の内壁面との間に隙間を作り、所定の位置まで底面板１０を持ち上げることができる。そして、所定の位置まで持ち上げると、第１の底板１１ａと第２の底板１１bとを密接させるようにしていた力を除去すれば、底面板１０に設けられた磁石１２と箱本体５の側面板１に設けられた磁石材料４により生じる磁力で第１の底板１１ａと第２の底板１１bとが固定される。
なお、本実施例においては、
底面板１０の第１の底板１１ａには連結部材１２が摺動可能な雌孔１３が設けられており、第１の底板１１ａと第２の底板１１bとは平面状態を維持しながら離間及び接近する方向に自在に動くことができる。
このような構成とすることにより、第１の底板１１aと第２の底板１１ｂとは、連結部材１２及び側面板１に設けた磁石材料４と第１の底板１１a、第２の底板１１bに設けた磁石１３の磁力により確実に固定される。そして、
袋入りティッシュペーパーを挿入し、使用により残量が減少するたびに、第１の底板１１aと第２の底板１１ｂの開口部１４に指を挟み、互いの距離を縮めてから、一つ上段の定位置まで持ちあげ開口部１４の指を離せば磁力により固定される。これにより、再びティッシュペーパーを容易に取出すことができるようになる。
なお、本実施例においては、箱本体５の側面板１に取り付ける磁石材料４の取り付け位置を縦方向に３段としたが、さらに段数を増やしても良い。また、側面板１の天面板３から底面板１０の挿入口まで連続的に磁性材料、例えば鉄製のシートを貼り付けても良い。あるいは、側面板１自体を鉄製としても良い。
【実施例２】
【００１２】
本考案の第２の実施例について、図４をもとに説明する。図４は、第２の実施例のティシュペーパー収納箱において、底面板を挿入して固定する方法を説明するための断面図であり、（ａ）は磁力により固定した状態を示す図で、（b）は底面板１０を挿入して固定する前の状態を示す図である。
本実施例においては、箱本体の２つの側面板１８の設定された位置に複数の凹部１９が設けられ、凹部１９中に磁性材料または磁石材料２０が埋め込まれている。そして、底面板２５の第１の底板２１ａと第２の底板２１ｂの連結部材２２で連結された側面部に対向するそれぞれの側面部で、箱本体の凹部１９に対応する位置に、少なくとも表面部が磁性材料または磁石材料が配置された凸部２３が設けられている。このような構造により、底面板２５を箱本体内部に挿入したときに、磁気吸引力により凸部２３が凹部１９に挿入されることにより固定される構造としたことが特徴である。このような構造とすれば、相当大きな荷重が加わっても底面板２５がずり落ちることがなく、確実に保持し、かつ安定に取り出すことができる。
【実施例３】
【００１３】
本考案の第３の実施例について、図５をもとに説明する。図５は、第３の実施例のティシュペーパー収納箱の構造を説明するための図で、裏側平面図である。本実施例においては、第１の実施例と同じ符号を付したものは同じ部材であるので、それらについては説明を省略する。
本実施例においては、第１の実施例の箱本体の磁性材料または磁石材料が設けられた２つの側面板３の設定された位置に複数の凹部２６が更に設けられている。そして、底面板１０の磁性材料または磁石材料が配置された側面部には、箱本体１０の凹部２６に対向する位置に凸部２７が設けられている。そして、底面板１０を箱本体内部１０に挿入したときに、磁気吸引力により凸部２６が凹部２７に挿入されることにより固定される構造としたことが特徴である。
このような構造とすれば、磁気吸引力による固定に加えて、嵌め合いによる固定もされるので、より安定な固定が可能となる。
【産業上の利用可能性】
【００１４】
本考案は、業務用あるいは家庭用で比較的大量に使用するティッシュペーパーを収納し、ティッシュペーパーがなくなるまで容易に取り出すことができ、ホテルや公共建物、あるいは家庭用などの分野での利用が可能であり、産業上の利用可能性を有する。
【符号の説明】
【００１５】
１、１６  天面板
１ａ、１４、１６ａ  開口部
２、３、１７、１８  側面板
４、２０  磁性材料又は磁石材料
５、１５  箱本体
１０、２５  底面板
１１ａ、２１ａ  第１の底板
１１ｂ、２１ｂ  第２の底板
１２、２２  連結部材
１３、２３  磁石（磁性材料）
１９、２６  凹部
２３、２７  凸部
【図１】
0003178322.tif 000003
【図２】
0003178322.tif 000004
【図３】
0003178322.tif 000005
【図４】
0003178322.tif 000006
【図５】
0003178322.tif 000007